(57)【特許請求の範囲】
【請求項１】
画像を表す画像ファイルおよび音声を表す音声ファイルのいずれのファイルも記録可能な記録媒体に記録されているファイルを読み取るファイル読み取り手段，
上記ファイル読み取り手段により読み取られた画像ファイルを画像再生処理する画像再生処理手段，
上記画像再生処理手段により画像再生処理された画像ファイルによって表された画像を表示するように表示装置を制御する第１の表示制御手段，
上記ファイル読み取り手段により読み取られた音声ファイルを音声再生処理する音声再生処理手段，
上記音声再生処理手段により音声再生処理された音声ファイルによって表された音声を，上記表示装置における画像表示とは独立に出力する音声出力手段，ならびに
上記ファイル読み取り手段によって読み取られたファイルが画像ファイルか音声ファイルかを判定するファイル判定手段を備え，
上記画像再生処理手段は，上記記録媒体から読み取られたファイルが画像ファイルと判定されたことに応じて，読み取られた画像ファイルを画像再生処理するものであり，
上記音声処理手段は，上記記録媒体から読み取られたファイルが音声ファイルと判定されたことに応じて，読み取られた音声ファイルを音声再生処理するものであり，
上記記録媒体にはヘッダ記録領域とデータ記録領域とが含まれており，上記データ記録領域の複数の記録エリアのそれぞれの記録エリアに上記画像ファイルまたは上記音声ファイルが記録されており，かつそれぞれの記録エリアに，記録エリアに記録されているファイルが画像ファイルであるか音声ファイルであるかを示す識別ファイルが記録されており，
上記ファイル判定手段は，それぞれの記録エリアに記録されている識別ファイルにもとづいて，読み取られたファイルが画像ファイルか音声ファイルかを判定するものである，
携帯型画像再生装置。
【請求項２】
被写体を撮像し，被写体像を表す画像ファイルを出力する撮像手段，および
上記撮像手段から出力された画像ファイルを上記記録媒体に記録する記録制御手段，
をさらに備えた請求項１に記載の携帯型画像再生装置。
【請求項３】
画像再生モード指令または音声再生モード指令を選択的に与えるモード指令スイッチ，および，
上記モード指令スイッチから上記画像再生モード指令または上記音声モード指令が与えられたことに応答して，電源をオンとする電源制御手段，
をさらに備えた請求項１に記載の携帯型画像再生装置。
【請求項４】
電源スイッチ，
上記電源スイッチがオンとされたことに応答して，電源をオンする電源制御手段，
画像再生モード指令または音声再生モード指令を選択的に与えるモード指令スイッチ，ならびに
上記モード指令スイッチにより画像再生モード指令が与えられたことに応じて，上記画像再生処理手段および上記表示制御手段への電源の供給を開始し，かつ上記モード指令スイッチにより音声再生モード指令が与えられることに応じて，上記音声再生処理手段および上記音声出力手段への電源の供給を開始する電源供給制御手段，
を備えた請求項１に記載の携帯型画像再生装置。
【請求項５】
上記ファイル読み取り手段により読み取られた画像ファイルと音声ファイルとが互いに関連づけられているかどうかを判定する判定手段，および
上記判定手段により上記画像ファイルと上記音声ファイルとが互いに関連づけられていると判定されたことに応じて，読み取られた画像ファイルによって表される画像の表示中に，読み取られた音声ファイルによって表される音声を出力するように上記画像表示制御手段および上記音声出力手段を制御する手段，
をさらに備えた請求項１に記載の携帯型画像再生装置。
【請求項６】
上記データ読み取り手段により読み取られた画像データによって表される画像を表示するように上記表示装置を制御する第２の表示制御手段，および
一覧表示された画像を表す画像データのうち，他の画像データによって表される画像データまたは音声データと関連づけられている画像データによって表される画像を他の画像と区別して表示する画像表示制御手段，
をさらに備えた請求項１に記載の携帯型画像再生装置。
【請求項７】
上記関連づけられている画像データによって表される画像が選択されたことに応じて，その関連づけられている他の画像データまたは音声データによって表される画像の表示または音声の出力が行われるように上記表示制御手段または上記音声出力手段を制御する手段をさらに備えた請求項６に記載の携帯型画像再生装置。
【請求項８】
画像を表す画像データおよび音声を表す音声データのいずれのデータも記録可能な記録媒体に記録されているデータを読み取り，
読み取られた画像データを画像再生処理し，
画像再生処理された画像データによって表された画像を表示装置に表示し，
読み取られた音声データを音声再生処理し，
音声再生処理された音声データによって表された音声を，上記表示装置における画像表示とは独立に出力する，
携帯型画像再生装置の動作制御方法において，
上記記録媒体にはヘッダ記録領域とデータ記録領域とが含まれており，上記データ記録領域の複数の記録エリアのそれぞれの記録エリアに上記画像ファイルまたは上記音楽ファイルが記録されており，かつそれぞれの記録エリアに，記録エリアに記録されているファイルが画像ファイルであるか音声ファイルであるかを示す識別データが記録されており，
それぞれの記録エリアに記録されている識別データにもとづいて，読み取られたファイルが画像ファイルか音声ファイルかを判定し，
記録媒体から読み取られたファイルが画像ファイルと判定されたことに応じて，読み取られた画像ファイルを画像再生処理し，
記録媒体から読み取られたファイルが音声ファイルと判定されたことに応じて，読み取られた音声ファイルを音声再生処理する，
携帯型画像再生装置の動作制御方法。
【発明の詳細な説明】
【０００１】
【技術分野】
この発明は，記録媒体に記録されている画像データを再生する携帯型画像再生装置およびその動作制御方法ならびに記録媒体に画像データを記録する携帯型撮像装置に関する。
【０００２】
【発明の背景】
ムービ・ビデオ・カメラなどは，被写体の動画記録と音声記録とが同時にできる。しかしながら，動画の記録と音声の記録とを別個独立に行うことは考えられていない。このために，動画の記録と音声の記録とを別々に行うときであっても動画の記録系の回路と音声の記録系の回路とが一体となって動作することとなってしまう。このようなことは，再生においても同じである。
【０００３】
【発明の開示】
この発明は，動画などの画像の再生と音声の再生とを別々に独立して行うことを目的とする。
【０００４】
また，この発明は，画像と音声とを互いに関連づけて記録することができるようにすることを目的とする。
【０００５】
この発明による携帯画像再生装置は，画像を表す画像データおよび音声を表す音声データのいずれのデータも記録可能な記録媒体に記録されているデータを読み取るデータ読み取り手段，上記データ読み取り手段により読み取られた画像データを画像再生処理する画像再生処理手段，上記画像再生処理手段により画像再生処理された画像データによって表された画像を表示するように表示装置を制御する第１の表示制御手段，上記データ読み取り手段により読み取られた音声データを音声再生処理する音声再生処理手段，ならびに上記音声再生処理手段により音声再生処理された音声データによって表された音声を，上記表示装置における画像表示とは独立に（画像表示と音声出力とを互いに関連せずに行なう，画像表示または音声出力の一方を行なう，互いに関連した画像表示と音声出力とを同時に行なうことのいずれも含む）出力する音声出力手段を備えていることを特徴とする。
【０００６】
この発明は，上記装置に適した動作制御方法も提供している。すなわち，この方法は，画像を表す画像データおよび音声を表す音声データのいずれのデータも記録可能な記録媒体に記録されているデータを読み取り，読み取られた画像データを画像再生処理し，画像再生処理された画像データによって表された画像を表示装置に表示し，読み取られた音声データを音声再生処理し，音声再生処理された音声データによって表された音声を，上記表示装置における画像表示とは独立に出力するものである。
【０００７】
この発明によると，画像データおよび音声データのいずれも記録可能な記録媒体に記録されているデータが読み取られる。読み取られたデータが画像データであれば画像再生処理が行われ，読み取られた画像データによって表される画像が表示装置に表示される。また，読み取られたデータが音声データであれば音声再生処理が行なわれ，読み取られた音声データによって表される音声が出力される。
【０００８】
画像と音声とが全く無関係であったとしても，画像の表示と音声の出力とを同時に行うことができる。もっとも，互いに関連のある画像と音声とを同時に表示および音声出力することもできる。画像表示のみまたは音声出力のみとすることもできるのはいうまでもない。
【０００９】
読み取られたデータが画像データか音声データかを判定し，上記記録媒体から読み取られたデータが画像データと判定されたことに応じて，読み取られた画像データを画像再生処理し，上記記録媒体から読み取られたデータが音声データと判定されたことに応じて，読み取られた音声データを音声再生処理するようにしてもよい。
【００１０】
読み取られたデータが画像データか音声データかに応じて，画像表示または音声出力を指定することなく，画像表示または音声出力することができるようになる。
【００１１】
画像再生モードまたは音声再生モードをいずれか選択的に設定するモード設定手段をさらに備えてもよい。この場合には，設定されたモードに応じて，読み取られたデータが画像データか音声データかを判定することとなろう。
【００１２】
上記画像データには画像データであることを識別するための画像識別データが関連づけられており，かつ上記音声データには音声データであることを識別するための音声識別データが関連づけられている場合には，上記画像識別データまたは上記音声識別データにもとづいて，読み取られたデータが画像データか音声データかを判定するようにしてもよい。
【００１３】
上記記録媒体にはヘッダ記録領域とデータ記録領域とが含まれており，上記データ記録領域に上記画像データおよび上記音声データが記録されており，かつ上記ヘッダ記録領域に上記データ記録領域の所定の領域に記録されているデータが画像データであるか音声データであるかを示す識別データが記録されているときには，上記ヘッダ記録領域に記録されている識別データにもとづいて，読み取られたデータが画像データか音声データかを判定することができる。
【００１４】
被写体を撮像し，被写体像を表す画像データを出力する撮像手段，および上記撮像手段から出力された画像データを上記記録媒体に記録する記録制御手段をさらに備えてもよい。
【００１５】
画像再生モード指令または音声再生モード指令を選択的に与えるモード指令スイッチ，および上記モード指令スイッチから上記画像再生モード指令または上記音声モード指令が与えられたことに応答して，電源をオンとする電源制御手段をさらに備えてもよい。
【００１６】
上記モード指令スイッチからのモード指令に応じて画像再生モードまたは音声再生モードが設定できる。また，モードを選択するだけで，電源がオンとなるので，電源スイッチをオンとする手間を省くことができる。
【００１７】
電源スイッチ，上記電源スイッチがオンとされたことに応答して，電源をオンする電源制御手段，画像再生モード指令または音声再生モード指令を選択的に与えるモード指令スイッチ，ならびに上記モード指令スイッチにより画像再生モード指令が与えられたことに応じて，上記画像再生処理手段および上記表示制御手段への電源の供給を開始し，かつ上記モード指令スイッチにより音声再生モード指令が与えられることに応じて，上記音声再生処理手段および上記音声出力手段への電源の供給を開始する電源供給制御手段をさらに備えてもよい。
【００１８】
画像再生モードまたは音声再生モードをいずれか選択的に設定可能とし，読み取られたデータのうち，上記モード設定手段によって設定されたモードに対応するデータが格納されているファイルの名称を表示してもよい。
【００１９】
現在設定されているモードで表示可能な画像または出力可能な音声が分かる。
【００２０】
読み取られた画像データと音声データとが互いに関連づけられているかどうかを判定し，上記画像データと上記音声データとが互いに関連づけられていると判定されたことに応じて，読み取られた画像データによって表される画像の表示中に読み取られた音声データによって表される音声を出力するように上記画像表示制御手段および上記音声出力手段を制御してもよい。
【００２１】
画像の表示中に互いに関連している音声を出力することができるようになる。
【００２２】
上記データ読み取り手段により読み取られたデータのうち互いに関連づけられている画像データと音声データとを検出するデータ検出手段，および上記データ検出手段により検出されたデータが格納されているファイルの名称を他のファイルの名称と区別して表示するように表示装置を制御することが好ましい。
【００２３】
どのファイルに関連しているファイルがあるかどうかが一見して分かる。
【００２４】
読み取られた画像データによって表される画像を上記表示装置に表示し，一覧表示された画像を表す画像データのうち，他の画像データによって表される画像データまたは音声データと関連づけられている画像データによって表される画像を他の画像と区別して表示することが好ましい。
【００２５】
表示されている画像に関連づけられた画像データまたは音声データがあることを一見してわかるようになる。
【００２６】
上記関連づけられている画像データによって表される画像が選択されたことに応じて，その関連づけられている他の画像データまたは音声データによって表される画像の表示または音声の出力が行われるように上記表示制御手段または上記音声出力手段を制御することが好ましい。
【００２７】
この発明による携帯型撮像装置は，被写体を撮像し，被写体像を表す画像データを出力する撮像手段，音声データを入力する音声データ入力手段，上記撮像手段から出力された画像データと上記音声データ入力手段から入力した音声データとのうち互いに関連づけるべき画像データと音声データとを選択する選択手段，および上記選択手段により選択された画像データと音声データとを互いに関連づけて記録媒体に記録する記録制御手段を備えていることを特徴とする。
【００２８】
この発明は，上記装置に適した動作制御方法も提供している。すなわち，この方法は，被写体を撮像し，被写体像を表す画像データを得，音声データを入力し，撮像により得られた画像データと入力した音声データとのうち互いに関連づけるべき画像データと音声データとを選択し，選択された画像データと音声データとを互いに関連づけて記録媒体に記録するものである。
【００２９】
この発明によると，関連づけるべき画像データと音声データとを選択することができ，選択された画像データと音声データとが互いに関連づけられて記録媒体に記録される。所望の画像データと音声データとを任意の組み合わせで記録媒体に互いに関連づけて記録することができるようになる。
【００３０】
【実施例の説明】
図１は，この発明の実施例を示すもので，ディジタル・カメラを前面から見た斜視図である。このディジタル・カメラは，静止画撮影機能，動画撮影機能，音声記録機能，静止画再生機能，動画再生機能および音声再生機能を有している。
【００３１】
ディジタル・カメラの上面において前面から見て左側には，シャッタ・レリーズ・ボタン１が設けられている。また，右側には記録モードまたは再生モードを設定するための記録／再生モード・スイッチ２および電源のオフ，静止画撮影もしくは再生，動画再生もしくは記録または音声記録もしくは再生を設定するためのモード・スイッチ３が設けられている。
【００３２】
ディジタル・カメラの前面においてほぼ中央には，撮像レンズ６が設けられている。また，前面の右上には，光学的ビューファインダ５が設けられている。この光学的ビュー・ファインダ５の左側にはストロボ４が設けられている。
【００３３】
ディジタル・カメラの右側面には，メモリ・カードの挿入口７が形成されている。
【００３４】
図２は，ディジタル・カメラを背面から見た斜視図である。
【００３５】
ディジタル・カメラの左下には液晶表示画面13が設けられている。この液晶表示画面13の上には，液晶表示画面13をオン，オフ制御するための表示スイッチ10，決定指令を与えるための決定スイッチ11およびキャンセル・スイッチ12が設けられている。また，液晶表示画面13の右上には上下左右の各矢印が形成されている上下左右ボタン14が設けられている。上下左右ボタン14に形成されている各矢印は押下できる。
【００３６】
ディジタル・カメラの背面の上部には，マクロ・モードの設定スイッチ８およびストロボ発光指令を与えるための発光スイッチ９が設けられている。
【００３７】
図３は，ディジタル・カメラの電気的構成を示すブロック図である。
【００３８】
ディジタル・カメラの全体の動作は，システム制御回路29によって統括される。
【００３９】
上述した各スイッチ類（シャッタ・レリーズ・ボタン１，モード・スイッチ２，３，スイッチ８，９，10，11，12および上下左右ボタン14）50から与えられる各種指令信号は，ＭＰＵ（micro processing unit ）52を介してシステム制御回路29に入力する。
【００４０】
バッテリィ57から与えられる電圧は，電圧制御回路54によって制御されるＤＣ／ＤＣレギュレータ55から各回路に与えられる。また，インバータ56によって，液晶表示装置用のバックライト58のオンおよびオフならびに輝度レベルがそれぞれ調整される。電圧制御回路54およびインバータ56は，ＭＰＵ52によって制御される。
【００４１】
ＴＧ（タイミング・ジェネレータ）およびＣＣＤドライバ31が含まれており，このＴＧおよびＣＣＤドライバ31から各種制御パルスが出力され，ＣＣＤ21ならびにＣＤＳ（相関二重サンプリング回路）およびＡ／Ｄ変換回路22に入力する。
【００４２】
撮像レンズ６によって被写体像がＣＣＤ21の受光面上に結像する。ＣＣＤ21から被写体像を表す映像信号が出力され，ＣＤＳおよびＡ／Ｄ変換回路22に入力する。このＣＤＳおよびＡ／Ｄ変換回路において相関二重サンプリングおよびアナログ／ディジタル変換処理が行われ，ディジタル画像データが出力される。ディジタル画像データは，ＤＳＰ（ディジタル信号処理回路）33内の画像処理およびＣＣＤ駆動回路23に与えられ色バランス調整，ガンマ補正などの所定の画像処理が行われる。
【００４３】
ディジタル画像データは，画像Ｄ／Ａ変換回路24に与えられ，アナログ映像信号に戻される。アナログ映像信号は，液晶表示装置ドライバ25を介して液晶表示装置13に与えられることにより撮影した被写体像が動画で表示される。
【００４４】
この実施例によるディジタル・カメラは，映像信号を出力することもできる。このために映像信号増幅回路26が含まれている。画像Ｄ／Ａ変換回路24から出力されたアナログ映像信号は，映像信号増幅回路26を介して出力されることとなる。
【００４５】
シャッタ・レリーズ・ボタン１が押されると（動画記録モードではシャッタ・レリーズ・ボタン１が押されている間），上述のようにして画像処理およびＣＣＤ駆動回路23から出力された画像データは，ＤＲＡＭおよび圧縮／伸長回路29に与えられ，一時的に記憶される。また，このＤＲＡＭおよび圧縮／伸長回路29においてデータ圧縮が行われる。
【００４６】
データ圧縮された画像データは，カードおよびメモリ制御回路30の制御のもとにメモリ・カード59に与えられ，記録される。
【００４７】
また，メモリ・カード59に記録されている画像データは，カードおよびメモリ制御回路30により読み取られ，ＤＲＡＭおよび圧縮／伸長回路27に入力する。ＤＲＡＭおよび圧縮／伸長回路27においてデータ伸長が行われ，画像Ｄ／Ａ変換回路24においてアナログ映像信号に変換される。液晶表示装置ドライバ25を介して液晶表示装置13に与えられることにより，メモリ・カード59に記録されている画像データによって表される画像が液晶表示装置13に表示されることとなる。
【００４８】
マイクロフォン41に入力した音声は，音声信号に変換されドライバ増幅回路42において増幅される。増幅された音声信号は，Ａ／ＤおよびＤ／Ａ変換回路43においてディジタル音声データに変換される。ディジタル音声データは，音声処理回路44を介してＤＲＡＭおよび圧縮／伸長回路27に入力する。ＤＲＡＭおよび圧縮／伸長回路27において，音声圧縮が行われる。音声圧縮された音声データは，カードおよびメモリ制御回路30の制御のもとにメモリ・カード59に与えられ，記録される。
【００４９】
また，メモリ・カード59に記録されている音声データはカードおよびメモリ制御回路30により読み取られ，ＤＲＡＭおよび圧縮／伸長回路27において音声伸長が行われる。伸長された音声データは，音声処理回路44を介してＡ／ＤおよびＤ／Ａ変換回路によりアナログ音声信号に変換される。変換された音声信号は，ドライバおよび増幅回路42により増幅されてスピーカ45に与えられて音声として出力される。
【００５０】
また，ディジタル・カメラには，ヘッドフォンを接続することもできる。音声処理回路44から出力された音声信号は，ヘッドフォン・ドライバ46を介して，ヘッドフォンから音声として出力される。
【００５１】
図４は，メモリ・カード59のデータ構造を示している。
【００５２】
メモリ・カード59には，ヘッダ記録領域とデータ記録領域とが含まれている。
【００５３】
データ記録領域には，上述したように静止画ファイル（データ），動画ファイルおよび音声ファイルが記録される。データ記録領域には複数の記録エリアが含まれている（もちろん，この記録エリアは物理的に存在しなくともよいのはいうまでもない）。記録エリア１，２，３，４，６には静止画ファイルが格納されている。記録エリア５には動画ファイルが格納されている。記録エリア７および８には音声ファイルが格納されている。
【００５４】
それぞれの記録エリアには，格納されているファイルが静止画ファイルか，動画ファイルか，音声ファイルかを識別するための識別符号データも記録されている。静止画ファイルが格納されている記録エリアには，静止画であることを示す識別符号「Ｓ」を示すデータが記録されている。動画ファイルが格納されている記録エリアには，動画であることを示す識別符号「Ｍ」を示すデータが記録されている。音声ファイルが格納されている記録エリアには，音声であることを示す識別符号「Ａ」を示すデータが格納されている。これらの識別データは，モード・スイッチ３により設定されたモードにもとづいてデータ記録領域に対応するエリアに記録されるのはいうまでもない。
【００５５】
ヘッダ記録領域には，メモリ・カード59の管理データが記録されている。さらにこの実施例においては，ヘッダ記録領域には，管理データのほかにデータ記録領域に記録されているファイルのうち関連するファイルがどの記録エリアに記録されているかを示す関連データも記録されている。たとえば，記録エリア１に記録されているファイルに関連するファイルは，記録エリア２および６にそれぞれ記録されているファイルである。
【００５６】
図５は，静止画記録モードの設定処理手順を示すフローチャートである。
【００５７】
上述したようにモード・スイッチ２と３との組み合わせにより静止画記録もしくは再生，動画記録もしくは再生，音声記録もしくは再生または電源オフを設定することができる。
【００５８】
静止画記録モードを設定するときには，まず，電源がオンとされているかどうかがチェックされる（ステップ71）。モード・スイッチ３が静止画モード，動画モードまたは音声モードのいずれかに設定されていると電源はオンとなっている。電源がオンとなっているとモード・スイッチ２が記録モードに設定され，かつモード・スイッチ２が静止画モードとなっているかどうかがチェックされる（ステップ72）。
【００５９】
電源オンとなっていないか（ステップ71でＮＯ），または電源がオンとなっていても静止画記録モードとなっていなければ（ステップ72でＮＯ），モード・スイッチ２および３がユーザによって操作され，モード・スイッチ２は記録モードに，モード・スイッチ３は静止画記録モードにそれぞれ設定される。これによりシャッタ・レリーズ・ボタン１の押下に応じて撮像された被写体像を表す画像データがメモリ・カード59に記録されることとなる。
【００６０】
もちろん，モード・スイッチ３が１つのスイッチにより静止画記録モード，静止画再生モード，動画記録モード，動画再生モード，音声記録モード，音声再生モードの設定が可能なように構成してもよいのはいうまでもない。記録／再生モード・スイッチ２が不要となる。
【００６１】
図６は，ディジタル・カメラを背面から見た斜視図である。この図において，図２に示すものと同一物には同一符号を付して説明を省略する。
【００６２】
ディジタル・カメラの上面において左側には電源スイッチ３Ａが設けられている。この電源スイッチ３Ａによりディジタル・スチル・カメラの電源がオンまたはオフされる。
【００６３】
ディジタル・カメラの背面の上下左右ボタン14の回りには回転自在なモード・ダイアル15が設けられている。モード・ダイアル15には，モードを示すための矢印15Ａが形成されている。モード・ダイアル15の回りには「静止画」，「動画」および「音楽」の文字が記載されている。モード・ダイアル15の矢印が指した文字のモードに設定されることとなる。
【００６４】
図７は，図６に示すディジタル・カメラにおいて静止画記録モードを設定するときの処理手順を示すフローチャートである。
【００６５】
電源スイッチ３Ａにより電源がオンされているかどうかがチェックされる（ステップ81）。電源がオンされていなければ（ステップ81でＮＯ），ユーザによって電源スイッチ３Ａが操作され，電源がオンとされる（ステップ82）。
【００６６】
つづいて，モード設定スイッチ２が記録モードとされ，かつモード設定ダイアル15が静止画モードとされているかどうかがチェックされる（ステップ83）。記録／再生モード・スイッチ２が記録モードとされ，かつモード設定ダイアル14が静止画モードとされていると静止画記録モードに設定されていることとなる（ステップ83でＹＥＳ）。そうでなければ（ステップ83でＮＯ），ユーザにより記録／再生モード・スイッチ２が記録モードとされ，かつモード設定ダイアル14が静止画モードとされ，静止画記録モードに設定される（ステップ84）。
【００６７】
このようにして，静止画記録モードに設定されると，シャッタ・レリーズ・ボタン１の押下に応答して被写体が撮像され，被写体像を表す画像データがメモリ・カード59に記録される。
【００６８】
図８は，ディジタル・カメラにおける再生処理の手順を示すフローチャートである。
【００６９】
上述したように記録／再生モード・スイッチ２により再生モードが設定されると，モード・スイッチ３のモードが静止画モード（静止画再生モード），動画モード（動画再生モード），音楽モード（音楽再生モード）のどのモードに設定されるかがチェックされる（ステップ91）。
【００７０】
静止画再生モードに設定されると，静止画の再生に必要な回路にＤＣ／ＤＣレギュレータ55から電圧が供給される。静止画の再生に不要な回路である音楽再生用の回路はオフとされ，電圧の供給が停止させられる（ステップ92）。具体的には，ヘッドフォン・ドライバ46，ドライバおよび増幅回路43ならびにＡ／ＤおよびＤ／Ａ変換回路43への電圧供給が停止する。
【００７１】
ディジタル・カメラに装填されているメモリ・カード59に記録されているファイルのうち，ファイル識別符号を参照して静止画ファイルが読み出され，再生される（ステップ94）。すなわち，識別符号が「Ｓ」となっている記録エリアに記録されているファイルがメモリ・カード59から読み出され，再生される。システム制御回路29において，再生された静止画ファイルから縮小画像を表す画像データが生成される。もっとも静止画ファイルに縮小画像データが付随していれば，縮小画像データ変換処理が不要なのはいうまでもない。
【００７２】
生成された縮小画像データが液晶表示装置13に与えられることにより，図９に示すような静止画の縮小画像が一覧表示される（ステップ94）。一覧表示されている縮小画像中において一の縮小画像のみが輝度が明るくされ，他の縮小画像と区別されている（図９においてはハッチングで示す）。ハッチングで示されている画像がユーザによって選択されている画像となる。上下左右ボタン14に形成されている上矢印，下矢印，左矢印または右矢印が押されることにより，上，下，左または右の画像が明るくなり，他の画像を選択することができる。
【００７３】
実行ボタン10が押されると，輝度が明るくされた画像が選択されたと見なされ（ステップ95でＹＥＳ），選択されている縮小画像に対応する静止画ファイルがメモリ・カード59から読み出され，再生される。再生された静止画画像データが液晶表示装置13に与えられることにより，液晶表示装置13の表示画面全体にわたって静止画が表示されることとなる（ステップ96）。
【００７４】
動画再生モードが選択されると（ステップ91），静止画再生モードと同様に，音楽再生用の回路がオフされる（ステップ101 ）。また，動画ファイルがメモリ・カード59から読み出され動画ファイルを示す画像が液晶表示装置13の表示画面上に一覧表示される（ステップ102 ）。静止画の選択と同様にして動画ファイルが選択されると（ステップ103 でＹＥＳ），選択された動画ファイルによって表される動画が液晶表示装置13の表示画面全体にわたって表示されることとなる（ステップ104 ）。
【００７５】
音楽再生モードが選択されると（ステップ91），画像再生用の回路がオフとされる。具体的には，液晶表示装置ドライバ25，液晶表示装置13，液晶表示装置用バックライト58，インバータ56および信号増幅回路26がそれぞれオフとされる。また，画像の記録系の回路であるＣＤＳおよびＡ／Ｄ変換回路22ならびにＴＧおよびＣＣＤドライバ31もオフとしてもよい。
【００７６】
メモリ・カード59から識別符号を参照して音楽ファイルが読み出される。読み出された音楽ファイルを示す画像が液晶表示装置13の表示画面に一覧表示される（ステップ112 ）。静止画および動画の選択と同様に音楽ファイルがユーザによって選択される（ステップ113 ）。選択された音楽ファイルがメモリ・カード59から読み出される。スピーカ45またはヘッドフォンから音楽が出力されることとなる（ステップ114 ）。
【００７７】
上述した再生処理においては，静止画再生，動画再生および音楽再生のうち，ユーザが所望の再生モードを選択し，対応するファイルをメモリ・カードから読み出しているが，再生モードを選択することなく先にファイルを選択し，選択されたファイルに対応するモードで再生させることもできる。このような再生処理について次の説明する。
【００７８】
図10は，ディジタル・カメラを背面から見た斜視図である。この図において図２に示すものと同一物には同一符号を付して説明を省略する。
【００７９】
上下左右ボタン14の回りには回転自在なモード・ダイアル16が設けられている。モード・ダイアル16には，矢印16Ａが形成されている。モード・ダイアル16の回りには，「静止画記録」，「動画記録」，「音楽記録」，「再生」および「オフ」の各文字が記載されている。
【００８０】
「静止画記録」，「動画記録」，「音楽記録」，「再生」および「オフ」の文字のうち，モード・ダイアル16に形成されている矢印16Ａが指した文字のモードが設定される。
【００８１】
図11は，モード・ダイアル16の矢印16Ａにより「再生」が指定されたときのディジタル・カメラの処理手順を示すフローチャートである。
【００８２】
再生モードに設定されているかどうかがチェックされる（ステップ121 ）。再生モードに設定されていなければ（ステップ121 でＮＯ），ユーザによってモード・ダイアル16が回され再生モードとされる（ステップ122 ）。
【００８３】
再生モードとなると，メモリ・カード59に記録されているすべてのファイルを表す画像が液晶表示装置13の表示画面上に一覧表示される（図12参照）。静止画ファイルについては，上述したように必要に応じて縮小処理が行われるのはいうまでもない。
【００８４】
上述したのと同様に上下左右ボタン14を用いて，液晶表示装置13の表示画面上に表示された画像の中からユーザによって所望の画像が選択される（ステップ123 ）。選択された画像に対応するファイル（静止画ファイル，動画ファイルまたは音楽ファイル）がメモリ・カード59から読み出される。読み出されたファイルの識別符号を表わすデータがチェックされる（ステップ124 ）。
【００８５】
識別データをチェックした結果，選択された画像が静止画であることが分かると（ステップ125 でＹＥＳ），上述した静止画再生モードとなる（ステップ126 ）。これにより，音楽再生用の回路はオフされる。読み出された静止画ファイルが再生され（ステップ127 ），液晶表示装置13の表示画面上全体にわたって，選択された静止画が表示されることとなる。
【００８６】
識別データをチェックした結果，選択された画像が動画であることが分かると（ステップ125 でＮＯ，ステップ128 でＹＥＳ），上述した動画再生モードとなる（ステップ129 ）。静止画再生モードと同様に音楽再生用の回路はオフとされる。読み出された動画ファイルが再生され（ステップ130 ），液晶表示装置13の表示画面上の全体にわたって，選択された動画が表示されることとなる。
【００８７】
識別データをチェックした結果，選択された画像が表すものが音楽であることが分かると（ステップ128 でＮＯ），上述した音楽再生モードとなる（ステップ131 ）。読み出された音楽ファイルが再生され（ステップ132 ），音楽がスピーカ45またはヘッドフォンから出力される。
【００８８】
選択されたファイルの再生が終了すると（ステップ133 でＮＯ），再生モードに戻るかどうかの確認が行われる（液晶表示装置13の表示画面に確認の文章が表示されることとなろう）。たとえば，再生モードに戻る場合には（ステップ134 でＹＥＳ），決定ボタン11が押される。すると，液晶表示装置13の表示画面には，再び図12に示すように画像が一覧で表示されることとなろう。再生モードに戻らない場合には（ステップ134 でＮＯ），モード・ダイアル16が回され，他のモードまたはオフに設定される。
【００８９】
図13は，メモリ・カード59に記録されているファイルを互いに関連づける処理手順を示すフローチャートである。図14は，ディジタル・カメラの液晶表示装置13の表示例の一例である。
【００９０】
ファイルを互いに関連づけるときには，図10に示すディジタル・カメラにおいて関連付けボタン17を設ける。
【００９１】
再生モードに設定され，ディジタル・カメラに装填されているメモリ・カード59に記録されているファイルが読み取られ（ステップ61），図12に示したように，それらのファイルによって示される画像が液晶表示装置13の表示画面上に一覧表示される（ステップ62）。
【００９２】
関連付けボタン17がユーザによって押され，上下左右ボタン14を用いて関連づけるファイルを示す画像が選択される（ステップ63）。画像が選択されている状態で決定ボタン11が押されると，その画像の回りには枠ＦＬが形成される（ステップ64）。関連付けを行うべきファイルを示す画像のすべてについてステップ63および64の処理が繰り返される。決定ボタン11が押されることにより関連付けの処理は終了する。
【００９３】
互いに関連づけられたことを示すデータが装填されているメモリ・カードのヘッダ記録領域に記録される（図４参照）。
【００９４】
互いに関連づけられたことを示すデータがメモリ・カード59に記録されるので，そのメモリ・カード59を再生するときにファイルを表す画像を液晶表示装置13の表示画面上に一覧表示するときには，図14に示すように互いに関連する画像の回りに枠が表示されることとなる。メモリ・カード59の中において互いに関連する画像群が２種類以上あり，それらの画像群は互いに関連しない場合には，互いに関連している一方の画像群を構成する画像は一重の枠で囲まれ，他方の画像群を構成する画像は，二重の枠で囲まれるように識別されよう。
【００９５】
互いに関連づけられている音楽ファイルと動画ファイルまたは静止画ファイルとのうちいずれか１つのファイルが再生用のファイルとして選択された場合には，関連づけられている音楽ファイルによって表わされる音声の出力または動画ファイルによって表わされる動画表示もしくは静止画ファイルによって表わされる静止画表示が同時に行なわれるようにしてもよい。この場合，上述したようにモードに応じて一部の回路がオフとなるのではなく，すべての回路がオンとなろう。
【００９６】
図15は，メモリ・カードのデータ構造の例を示すものである。図４に示すメモリ・カードのデータ構造ではファイル識別データは各記録エリアに記録されているが，図15に示すファイル識別データはヘッダ記録領域に記録されている。
【００９７】
このようにファイル識別データをデータ記録領域の各記録エリアに対応して記録しなくともヘッダ記録領域に記録するようにしてもよい。
【図面の簡単な説明】
【図１】ディジタル・カメラを前面から見た斜視図である。
【図２】ディジタル・カメラを背面から見た斜視図である。
【図３】ディジタル・カメラの電気的構成を示すブロック図である。
【図４】メモリ・カードのデータ構造を示している。
【図５】静止画記録モードを設定する処理手順を示すフローチャートである。
【図６】ディジタル・カメラを背面から見た斜視図である。
【図７】静止画記録モードを設定する処理手順を示すフローチャートである。
【図８】再生モードの処理手順を示すフローチャートである。
【図９】液晶表示装置の表示画面の一例を示している。
【図１０】ディジタル・カメラを背面から見た斜視図である。
【図１１】再生モードの処理手順を示すフローチャートである。
【図１２】液晶表示装置の表示画面の一例を示している。
【図１３】ファイルの関連付けの処理手順を示すフローチャートである。
【図１４】液晶表示装置の表示画面の一例を示している。
【図１５】メモリ・カードのデータ構造の例を示している。
【符号の説明】
２，３  モード・スイッチ
11  決定ボタン
13  液晶表示装置
14  上下左右ボタン
21  ＣＣＤ
23  画像処理およびＣＣＤ駆動回路
29  システム制御回路
30  カードおよびメモリ制御回路
41  マイクロフォン
42  ドライバおよび増幅回路
43  Ａ／ＤおよびＤ／Ａ変換回路
44  音声処理回路
45  スピーカ
46  ヘッドフォン・ドライバ
54  電圧制御回路
55  ＤＣ／ＤＣレギュレータ
【図１】
0004213840.tif 000002
【図２】
0004213840.tif 000003
【図３】
0004213840.tif 000004
【図４】
0004213840.tif 000005
【図５】
0004213840.tif 000006
【図６】
0004213840.tif 000007
【図７】
0004213840.tif 000008
【図８】
0004213840.tif 000009
【図９】
0004213840.tif 000010
【図１０】
0004213840.tif 000011
【図１１】
0004213840.tif 000012
【図１２】
0004213840.tif 000013
【図１３】
0004213840.tif 000014
【図１４】
0004213840.tif 000015
【図１５】
0004213840.tif 000016